(57)【要約】【課題】取得したコンテンツから当該コンテンツの提供者を、ユーザが容易に識別できるようにする。【解決手段】携帯端末は、コンテンツ提供装置の所有者識別情報を取得する所有者識別情報取得部１００と、所有者識別情報と所有者情報とを関連づけて記憶する所有者情報記憶部１０７と、コンテンツ提供装置からコンテンツを取得するコンテンツ取得部１０２と、コンテンツ提供装置からコンテンツを取得した場合に、所有者識別情報取得部１００の取得したコンテンツ提供装置の所有者識別情報と、所有者情報記憶部１０７に記憶されている所有者識別情報及び所有者情報とを参照して、コンテンツ提供装置の所有者情報を判別し、コンテンツ取得部で取得したコンテンツと判別した前記所有者情報とを関連付けてコンテンツ記憶部１０３に記憶させるコンテンツ管理処理部１０６と、を備える。【選択図】図２
2010026983.tif 000002
【特許請求の範囲】
【請求項１】
ネットワークを介してコンテンツ提供装置からコンテンツを取得する携帯端末において、
ネットワークに接続した際に、デバイス検索処理を実施して前記ネットワーク上の前記コンテンツ提供装置を検出し、前記コンテンツ提供装置の所有者識別情報を取得する所有者識別情報取得部と、
前記所有者識別情報と所有者情報とを関連づけて記憶する所有者情報記憶部と、
前記コンテンツ提供装置からコンテンツを取得するコンテンツ取得部と、
前記コンテンツ取得部の取得したコンテンツを記憶するコンテンツ記憶部と、
前記コンテンツ提供装置からコンテンツを取得した場合に、前記所有者識別情報取得部の取得した前記コンテンツ提供装置の所有者識別情報と、前記所有者情報記憶部に記憶されている所有者識別情報及び所有者情報とを参照して、前記コンテンツ提供装置の所有者情報を判別し、前記コンテンツ取得部で取得したコンテンツと判別した前記所有者情報とを関連付けて前記コンテンツ記憶部に記憶させるコンテンツ管理処理部と、を備える携帯端末。
【請求項２】
前記コンテンツ管理処理部は、前記コンテンツ記憶部に、前記コンテンツ提供装置の前記所有者情報に対応するフォルダを作成させ、取得したコンテンツを前記所有者情報に対応するフォルダに記憶させる請求項１に記載の携帯端末。
【請求項３】
コンテンツを閲覧した後、前記コンテンツの閲覧状態、評価又は感想を、前記コンテンツと関連付けられた前記所有者情報に対応する前記コンテンツ提供装置に通知する通知処理部を備える請求項１又は請求項２に記載の携帯端末。
【請求項４】
ネットワークを介して携帯端末へコンテンツを提供するコンテンツ提供装置において、
コンテンツを記憶するコンテンツ記憶部と、
自機器の所有者識別情報を記憶する所有者情報管理部と、
携帯端末からの所有者識別情報要求を受信した場合に自機器の所有者識別情報を送信し、携帯端末からのコンテンツ転送要求を受信した場合にコンテンツ転送要求をした携帯端末にコンテンツを送信する無線通信部と、を備えるコンテンツ提供装置。
【請求項５】
ネットワークを介してコンテンツ提供装置から取得したコンテンツを管理するコンテンツ管理方法において、
ネットワークに接続した際に、デバイス検索処理を実施して前記ネットワーク上の前記コンテンツ提供装置を検出し、前記コンテンツ提供装置の所有者識別情報を取得し、
前記所有者識別情報と所有者情報とを関連づけて記憶し、
前記コンテンツ提供装置からコンテンツを取得し、
前記コンテンツ提供装置からコンテンツを取得した場合に、取得した前記コンテンツ提供装置の所有者識別情報と、記憶されている所有者識別情報及び所有者情報とを参照して、前記コンテンツ提供装置の所有者情報を判別し、前記コンテンツ取得部で取得したコンテンツと判別した前記所有者情報とを関連付けて前記コンテンツ記憶部に記憶させるコンテンツ管理方法。
【請求項６】
ネットワークを介して携帯端末へコンテンツを提供するコンテンツ提供方法において、
コンテンツ及び自機器の所有者識別情報を記憶し、
携帯端末からの所有者識別情報要求を受信した場合に自機器の所有者識別情報を送信し、携帯端末からのコンテンツ転送要求を受信した場合にコンテンツ転送要求をした携帯端末にコンテンツを送信するコンテンツ提供方法。
【発明の詳細な説明】
【技術分野】
【０００１】
本発明は、家庭内の家電製品やコンピュータ、周辺機器などをネットワークで接続するホームネットワークへの接続が可能で、コンテンツを保有する機器（以後、コンテンツ提供装置と呼ぶ）及びコンテンツ提供装置からコンテンツを取得する携帯端末装置並びにコンテンツ提供方法及びコンテンツ管理方法に関すものである。
【背景技術】
【０００２】
近年、通信ネットワーク技術や通信デバイスの発達に伴い、ネットワーク通信機能を搭載した、ＨＤＤ（Ｈａｒｄ  Ｄｉｓｋ  Ｄｒｉｖｅ）レコーダ、テレビ、ゲーム機などのデジタル家電機器が普及している。これにより、家庭内では、これらの機器と、ＰＣ（Ｐｅｒｓｏｎａｌ  Ｃｏｍｐｕｔｅｒ）やその他周辺機器を、通信ネットワークを介して通信可能に接続した、ホームネットワークが普及し始めている。
【０００３】
このようなホームネットワークにおいて、音楽・写真・動画といったコンテンツを、デジタル家電機器やＰＣ、モバイル機器といった多種多様な機器間でシームレスに共有することを目指して規格化が進められている。その１例として、非特許文献１に開示されたＤＬＮＡ（Ｄｉｇｉｔａｌ  Ｌｉｖｉｎｇ  Ｎｅｔｗｏｒｋ  Ａｌｌｉａｎｃｅ）によって規定されたガイドライン（Ｈｏｍｅ  Ｎｅｔｗｏｒｋ  Ｄｅｖｉｃｅ  Ｉｎｔｅｒｏｐｅｒａｂｉｌｉｔｙ  Ｇｕｉｄｌｉｎｅ）がある。以降、この設計ガイドラインを「ＤＬＮＡガイドライン」と呼ぶ。
【０００４】
ＤＬＮＡガイドラインにより、ホームネットワークにおいてユーザに利便性および快適性が提供され、今後ますますホームネットワークは、普及していくことが予測される。
【０００５】
ＤＬＮＡガイドラインは、ホームネットワークにおいて、高い機器間の相互接続性を実現するために、既存の規格技術を選定して策定されたものである。ＤＬＮＡガイドラインでは、ホームネットワーク上での機器の発見・制御方法の定義や、コンテンツの検索・管理方法に、非特許文献２に開示されたＵＰｎＰ（Ｕｎｉｖｅｒｓａｌ  Ｐｌｕｇ  ａｎｄ  Ｐｌａｙ）及び、非特許文献３に開示されたＵＰｎＰ  ＡＶ（Ａｕｄｉｏ  Ｖｉｓｕａｌ）を選定している。
【０００６】
ＵＰｎＰでは、「サービス」及び、「デバイス」、「コントロールポイント」を規定している。サービスは所定のサービスを提供する論理的な単位であり、デバイスは１つ以上のサービスを有する論理的な単位である。コントロールポイントは１つ以上のサービスを制御する論理的な単位である。以降、ＵＰｎＰで規定されたデバイス及び、コントロールポイントを、「ＵＰｎＰデバイス」及び「ＵＰｎＰコントロールポイント」と呼ぶ。ＵＰｎＰデバイス及びＵＰｎＰコントロールポイントは、ＳＳＤＰ（Ｓｉｍｐｌｅ  Ｓｅｒｖｉｃｅ  Ｄｉｓｃｏｖｅｒｙ  Ｐｒｏｔｏｃｏｌ）を用いてサービスや状態などの通知及び、サービスの検出を行う。このサービスや状態などの通知はＳＳＤＰメッセージの送信によって行われ、ＳＳＤＰメッセージにＸＭＬ（Ｅｘｔｅｎｓｉｂｌｅ  Ｍａｒｋｕｐ  Ｌａｎｇｕａｇｅ）を用いて記述されたデバイスディスクリプションドキュメント（Ｄｅｖｉｃｅ  Ｄｅｓｃｒｉｐｔｉｏｎ  Ｄｏｃｕｍｅｎｔ：ＤＤＤ）のＵＲＬを含んでいる。ＤＤＤは、デバイスの詳細情報や、提供するサービスの概要、サービスディスクリプションドキュメント（Ｓｅｒｖｉｃｅ  Ｄｅｓｃｒｉｐｔｉｏｎ  Ｄｏｃｕｍｅｎｔ：ＳＤＤ）のＵＲＬ等を含む。ＳＤＤは、当該サービスの詳細情報が記述されている。
【０００７】
ＵＰｎＰ  ＡＶは、ネットワーク経由でのＡＶ機器制御に関するデバイスとＡＶサービス（ＡＶコンテンツ再生制御：Ｒｅｎｄｅｒｉｎｇ  Ｃｏｎｔｒｏｌ）サービスやコンテンツ情報提供（Ｃｏｎｔｅｎｔ  Ｄｉｒｅｃｔｏｒｙ）サービス、ＡＶコンテンツ転送（ＡＶＴｒａｎｓｐｏｒｔ）サービスなど）を規定している。ＵＰｎＰ  ＡＶで規定されたＵＰｎＰ  ＡＶデバイスは、ＵＰｎＰ  ＡＶコントロールポイントからのＵＰｎＰ  ＡＶメッセージにより、前述のＡＶサービスを提供する。
【０００８】
ＵＰｎＰ  ＡＶデバイスとＵＰｎＰ  ＡＶコントロールポイント間のサービスの通知及び、検出方法について、図１３を用いて説明する。図１３は、ＵＰｎＰ  ＡＶコントロールポイントによるコンテンツ取得シーケンスであり、ＵＰｎＰ  ＡＶコントロールポイント機器が、ＵＰｎＰ  ＡＶデバイス機器が保有するコンテンツを取得する際のシーケンスの例を示している。図１３のＵＰｎＰ  ＡＶデバイス機器は、ＣｏｎｔｅｎｔＤｉｒｅｃｔｏｒｙサービスを提供する。
【０００９】
まず、ＵＰｎＰ  ＡＶコントロールポイント機器は、ネットワークに接続すると、ＩＰアドレスを取得し、所望のデバイスがネットワーク上に存在しないかどうかを、ＳＳＤＰのＭ−ＳＥＡＲＣＨメッセージをマルチキャスト送信することによりデバイス検索処理を実施する（ステップＳ１０）。Ｍ−ＳＥＡＲＣＨメッセージを受信したＵＰｎＰ  ＡＶデバイス機器は、自デバイスがＭ−ＳＥＡＲＣＨメッセージに記述されたサービスを提供する場合、Ｍ−ＳＥＡＲＣＨ応答メッセージをＵＰｎＰ  ＡＶコントロールポイント機器に返答する（ステップＳ１１）。ＵＰｎＰ  ＡＶコントロールポイント機器は、Ｍ−ＳＥＡＲＣＨ応答メッセージに含まれるＤＤＤのＵＲＬ宛に対してＤＤＤを要求し、ＤＤＤを取得する。同様にＳＤＤも取得する。取得したＤＤＤ又はＳＤＤにより、ＵＰｎＰ  ＡＶコンテントロールポイント機器１は、ＵＰｎＰ  ＡＶデバイス機器がＣｏｎｔｅｎｔＤｉｒｅｃｔｏｒｙサービスを提供することを知る。ＤＤＤやＳＤＤには、ＵＰｎＰ  ＡＶデバイス機器のデバイス詳細情報（機器ＩＤ、機器名、メーカー名）や、提供するサービスの詳細が含まれる（ステップＳ１２、Ｓ１３）。
【００１０】
ＵＰｎＰ  ＡＶコントロールポイント機器は、ＵＰｎＰ  ＡＶデバイス機器に対して保持するコンテンツ一覧情報を要求（Ｃｏｎｔｅｎｔ  ＤｉｒｅｃｔｏｒｙサービスのＢＲＯＷＳＥ／ＳＥＡＲＣＨアクション）し、コンテンツ一覧情報を取得する。コンテンツ一覧情報は、各コンテンツのメタ情報（タイトル名、コンテンツ種別、アーティスト、ジャンル、再生時間、作成日など）やコンテンツＵＲＬなどを含む（ステップＳ１４、Ｓ１５）。その後、ＵＰｎＰ  ＡＶコンテントロールポイント機器は、ユーザによって選択されたコンテンツを、ＵＰｎＰ  ＡＶデバイス機器に転送するよう要求する。そして、選択されたコンテンツを取得する（以後、ＵＰｎＰ  ＡＶコントロールポイント機器がＵＰｎＰ  ＡＶデバイス機器からコンテンツを取得することをダウンロードと呼ぶ）（ステップＳ１６〜Ｓ１８）。
【００１１】
図１３では、ＵＰｎＰ  ＡＶコントロールポイント機器が、ＵＰｎＰ  ＡＶデバイス機器が保持するコンテンツを取得しているが、逆に、ＵＰｎＰ  ＡＶコントロールポイント機器が保持するコンテンツをＵＰｎＰ  ＡＶデバイス機器に提供することも可能である。その場合には、図１３のステップＳ１４〜Ｓ１８において、ＵＰｎＰ  ＡＶコントロールポイント機器が、提供したいコンテンツ情報を含むＣｒｅａｔｅ  ＯｂｊｅｃｔアクションメッセージをＵＰｎＰ  ＡＶデバイス機器に送信して、ＵＰｎＰ  ＡＶデバイス機器が保持するコンテンツ一覧情報に当該コンテンツ情報を追加する。その後、ＵＰｎＰ  ＡＶコントロールポイント機器がＵＰｎＰ  ＡＶデバイス機器にコンテンツデータを転送する（以後、ＵＰｎＰ  ＡＶコントロールポイント機器からＵＰｎＰ  ＡＶデバイス機器にコンテンツを提供することをアップロードと呼ぶ）。
【００１２】
上記のように、ＵＰｎＰ  ＡＶコントロールポイント機器は、ホームネットワークに接続されると、各種サービスを提供するＵＰｎＰ  ＡＶデバイス機器を自動的に発見することができる。また、ＵＰｎＰ  ＡＶプロトコルにより、ＵＰｎＰ  ＡＶコントロールポイント機器とＵＰｎＰ  ＡＶデバイス機器間で、コンテンツのダウンロード（または、アップロード）により、コンテンツを共有することができる。したがって、ＵＰｎＰ  ＡＶコントロールポイント機器、またはＵＰｎＰ  ＡＶデバイス機器を保持するユーザは、ホームネットワーク上の所望のコンテンツを取得して、取得したコンテンツを閲覧したいときにいつでも閲覧することができる。
【００１３】
【非特許文献１】ＤＬＮＡ  Ｎｅｔｗｏｒｋｅｄ  Ｄｅｖｉｃｅ  Ｉｎｔｅｒｏｐｅｒａｂｉｌｉｔｙ  Ｇｕｉｄｌｉｎｅｓ，Ｅｘｐａｎｄｅｄ：Ｏｃｔｏｂｅｒ  ２００６，ＤＬＮＡ
【非特許文献２】ＵＰｎＰ  Ｄｅｖｉｃｅ  Ａｒｃｈｉｔｅｃｔｕｒｅ  １．０，Ｖｅｒｓｉｏｎ１．０．１，Ｍａｙ  ０６，２００３
【非特許文献３】ＵＰｎＰ  ＡＶ  Ａｒｃｈｉｔｅｃｔｕｒｅ：０．８３，Ｊｕｎｅ  １２，２００２
【発明の開示】
【発明が解決しようとする課題】
【００１４】
しかしながら、ユーザが取得コンテンツの取得元情報を確認したい場合には、コンテンツ提供装置から取得した取得元情報は、コンテンツＵＲＬだけであるため、ユーザは取得元を識別することが難しい。また、ユーザがコンテンツの取得元をもとに検索したい場合には、コンテンツＵＲＬを入力する必要があるため、手間がかかるという問題がある。
【００１５】
この解決策として、コンテンツ情報とＤＤＤに含まれる機器名、コンテンツデータを関連付けて保存することで、取得元情報を機器名とすることが考えられる。しかしながら、機器名は、同一型番のコンテンツ提供装置で同じ名称が一般的に付けられるため、複数の同一型番のコンテンツ提供装置からコンテンツを取得した場合に、機器名が同じで判別できないという問題が生じる。また、機器名は、コンテンツ提供装置側のユーザで変更可能であるが、コンテンツ提供装置を所有するユーザにとっては手間がかかる作業であり、一般的に変更されない。さらに、コンテンツ提供装置が携帯電話やデジタルカメラのような頻繁に買い替えが行われ、コンテンツ提供装置の機種が変更される機器の場合、変更されるたびに機器名が変更され、同一提供者から取得したコンテンツでも、コンテンツ提供装置を変更する前と後では、別々の提供者から取得されたものと判断される。
【００１６】
本発明は、上記の問題点に鑑みてなされたものであり、ネットワーク内のコンテンツ提供装置からコンテンツを取得し、取得したコンテンツから当該コンテンツの提供者を、ユーザが容易に識別できる携帯端末装置、取得コンテンツの管理方法を提供することを目的とする。
【課題を解決するための手段】
【００１７】
本発明の携帯端末は、ネットワークを介してコンテンツ提供装置からコンテンツを取得する携帯端末において、ネットワークに接続した際に、デバイス検索処理を実施して前記ネットワーク上の前記コンテンツ提供装置を検出し、前記コンテンツ提供装置の所有者識別情報を取得する所有者識別情報取得部と、前記所有者識別情報と所有者情報とを関連づけて記憶する所有者情報記憶部と、前記コンテンツ提供装置からコンテンツを取得するコンテンツ取得部と、前記コンテンツ取得部の取得したコンテンツを記憶するコンテンツ記憶部と、前記コンテンツ提供装置からコンテンツを取得した場合に、前記所有者識別情報取得部の取得した前記コンテンツ提供装置の所有者識別情報と、前記所有者情報記憶部に記憶されている所有者識別情報及び所有者情報とを参照して、前記コンテンツ提供装置の所有者情報を判別し、前記コンテンツ取得部で取得したコンテンツと判別した前記所有者情報とを関連付けて前記コンテンツ記憶部に記憶させるコンテンツ管理処理部と、を備える。
【００１８】
この構成により、取得したコンテンツから当該コンテンツの提供者を、ユーザが容易に識別できる。
【００１９】
また、本発明のコンテンツ提供装置は、ネットワークを介して携帯端末へコンテンツを提供するコンテンツ提供装置において、コンテンツを記憶するコンテンツ記憶部と、自機器の所有者識別情報を記憶する所有者情報管理部と、携帯端末からの所有者識別情報要求を受信した場合に自機器の所有者識別情報を送信し、携帯端末からのコンテンツ転送要求を受信した場合にコンテンツ転送要求をした携帯端末にコンテンツを送信する無線通信部と、を備える。
【００２０】
この構成により、携帯端末が、取得したコンテンツから当該コンテンツの提供者を、ユーザが容易に識別できる。
【００２１】
また、本発明のコンテンツ管理方法は、ネットワークを介してコンテンツ提供装置から取得したコンテンツを管理するコンテンツ管理方法において、ネットワークに接続した際に、デバイス検索処理を実施して前記ネットワーク上の前記コンテンツ提供装置を検出し、前記コンテンツ提供装置の所有者識別情報を取得し、前記所有者識別情報と所有者情報とを関連づけて記憶し、前記コンテンツ提供装置からコンテンツを取得し、前記コンテンツ提供装置からコンテンツを取得した場合に、取得した前記コンテンツ提供装置の所有者識別情報と、記憶されている所有者識別情報及び所有者情報とを参照して、前記コンテンツ提供装置の所有者情報を判別し、前記コンテンツ取得部で取得したコンテンツと判別した前記所有者情報とを関連付けて前記コンテンツ記憶部に記憶させる。
【００２２】
この手順により、取得したコンテンツから当該コンテンツの提供者を、ユーザが容易に識別できる。
【００２３】
また、本発明のコンテンツ管理方法は、ネットワークを介して携帯端末へコンテンツを提供するコンテンツ提供方法において、コンテンツ及び自機器の所有者識別情報を記憶し、携帯端末からの所有者識別情報要求を受信した場合に自機器の所有者識別情報を送信し、携帯端末からのコンテンツ転送要求を受信した場合にコンテンツ転送要求をした携帯端末にコンテンツを送信する。
【００２４】
この手順により、携帯端末が、取得したコンテンツから当該コンテンツの提供者を、ユーザが容易に識別できる。
【発明の効果】
【００２５】
本発明によれば、取得したコンテンツから当該コンテンツの提供者を、ユーザが容易に識別できるとともに、コンテンツ管理及び閲覧を容易にできる。
【発明を実施するための最良の形態】
【００２６】
以下本発明を実施するための最良の形態について、図面を参照しながら説明する。
【００２７】
（実施の形態１）
図１は本発明の実施の形態１におけるネットワークの構成の一例を示した図である。ホームネットワーク１は、携帯端末１０、コンテンツ提供装置１１〜１３及び、ＷＬＡＮ（Ｗｉｒｅｌｅｓｓ  Ｌｏｃａｌ  Ａｒｅａ  Ｎｅｔｗｏｒｋ）ルータ１４で構成される。携帯端末１０は、ＷＬＡＮデバイスを搭載し、ＷＬＡＮルータに接続可能であり、また、ＵＰｎＰ  ＡＶコントロール機能を搭載している。また、コンテンツ提供装置Ａ１１及び、コンテンツ提供装置Ｂ１２、コンテンツ提供装置Ｃ１３は、ＵＰｎＰ  ＡＶデバイス機能を搭載しており、コンテンツ提供装置Ｃ１３はＵＰｎＰ  ＡＶコントロール機能も搭載する。なお、本実施の形態１は、コンテンツ提供装置Ａ１１が管理するコンテンツを携帯端末１０がダウンロードして管理する例を挙げて説明する。
【００２８】
図２は、本発明の実施の形態１における携帯端末１０の構成を示すブロック図である。図２において、無線通信部１２０は例えばＷＬＡＮデバイスで構成され、ＷＬＡＮルータ１４などを介しネットワークに接続し、コンテンツ提供装置１１〜１３とデータの送受信を行う。
【００２９】
所有者識別情報取得部であるＵＰｎＰ  ＣＰ処理部１００は、携帯端末１０の無線通信部１２０がネットワークに接続した際に、無線通信部１２０を介してデバイス検索処理を実施してネットワーク上のコンテンツ提供装置を検出し、コンテンツ提供装置からＤＤＤ又はＳＤＤなどの所有者識別情報を取得する。取得したＤＤＤ又はＳＤＤ情報などの所有者識別情報を機器管理部１０５に提供する。
【００３０】
ＭＳＣＰ（Ｍｅｄｉａ  Ｓｅｒｖｅｒ  Ｃｏｎｔｒｏｌ  Ｐｏｉｎｔ）処理部１０１は、コンテンツ提供装置１１〜１３のうち、ＵＰｎＰ  ＣＰ処理部１００が検出したコンテンツ提供装置に対して、ＵＰｎＰ  ＡＶコントロールポイント処理を実施する。具体的には、検出したコンテンツ提供装置に対して、そのコンテンツ提供装置がサポートするＡＶサービスのアクションメッセージを無線通信部１２０を介して送信し、コンテンツ提供装置の制御及び、コンテンツ提供装置が保持するコンテンツ一覧情報を、無線通信部１２０を介して取得する。また、検出したコンテンツ提供装置から取得したコンテンツ一覧情報をコンテンツ管理処理部１０６に送信する。
【００３１】
コンテンツ取得部であるＭｅｄｉａ  Ｔｒａｎｓｐｏｒｔ  Ｃｌｉｅｎｔ処理部１０２は、制御部１０４にて指定されたコンテンツデータを、無線通信部１２０を介して当該コンテンツ提供装置から取得する。
【００３２】
コンテンツ記憶部１０３は、制御部１０４を介してＭｅｄｉａ  Ｔｒａｎｓｐｏｒｔ  Ｃｌｉｅｎｔ処理部１０２が取得したコンテンツデータ取得し、記憶する。
【００３３】
制御部１０４は、コンテンツ管理処理部１０６が管理するコンテンツ一覧情報を表示部１０８に表示する。そして、ユーザが操作部１０９を操作して、表示したコンテンツ一覧の中からコンテンツを選択したこと操作部１０９が検出した場合に、制御部１０４は当該コンテンツのＵＲＬをコンテンツ管理処理部１０６から取得する。そして、Ｍｅｄｉａ  Ｔｒａｎｓｐｏｒｔ  Ｃｌｉｅｎｔ処理部１０２に当該ＵＲＬを通知してコンテンツデータの取得を要求する。また、Ｍｅｄｉａ  Ｔｒａｎｓｐｏｒｔ  Ｃｌｉｅｎｔ処理部１０２がコンテンツデータを取得した場合には、コンテンツデータの取得完了通知をコンテンツ管理処理部１０６に通知する。またこれとともに、コンテンツ管理処理部１０６の指示のもと、コンテンツ記憶部１０３を制御して、コンテンツ記憶部１０３にフォルダの生成を行うことや、特定フォルダへ取得したコンテンツデータの保存を行う。
【００３４】
機器管理部１０５は、ＵＰｎＰ  ＣＰ処理部１００にて取得したＤＤＤ又はＳＤＤなどの所有者識別情報を解析し、コンテンツ提供装置の機器情報として記憶、管理するとともに、コンテンツ提供装置の所有者を識別する、電話番号やメールアドレスなどの所有者識別情報をコンテンツ機器情報と対応付けて記憶し、管理する。また、機器管理部１０５は、コンテンツ提供装置の機器情報（ＭＡＣアドレスや機器名など）も記憶する。
【００３５】
コンテンツ管理処理部１０６は、ＭＳＣＰ処理部１０１が取得したコンテンツ一覧情報を記憶、管理する。ユーザが操作部１０９を操作して選択したコンテンツデータをコンテンツ提供装置よりダウンロードする。そして、コンテンツ管理処理部１０６は、制御部１０４からコンテンツ取得完了通知を受信した場合には、機器管理部１０５から当該コンテンツデータを取得したコンテンツ提供装置の機器情報と、コンテンツ提供装置の所有者識別情報とを取得する。そして、電話帳１０７が管理している通信相手の識別情報と、通信相手名とを参照して、管理している当該コンテンツの情報と関連付けを行い、記憶、管理する。その後、制御部１０４に対して取得コンテンツデータを保存するフォルダを指示する。
【００３６】
所有者情報記憶部である電話帳１０７は、電話番号やメールアドレスなどの通信相手を識別する識別情報と、その通信相手のユーザ名や、その他の通信相手のユーザ情報、通信相手の写真や、アイコンおよび、通信相手から電話を受信した場合に通知するメロディなどの所有者情報を記憶、管理する。また、ユーザが通信相手をグループ化した際のグループ名と、グループ化したユーザを対応付けて記憶することで管理している。
【００３７】
表示部１０８はＬＣＤや有機ＥＬなど表示デバイスを含んで構成され、コンテンツ一覧情報や電話帳の通信相手情報、コンテンツ提供装置との通信状況、コンテンツの再生など各種データを表示する。
【００３８】
操作部１０９はキー、タッチパネルなどのデバイスを含んで構成され、コンテンツ一覧情報や電話帳の通信相手情報、コンテンツ提供装置との通信状況、コンテンツの再生など各種データを表示する。
【００３９】
図３は本発明の実施の形態１におけるコンテンツ提供装置Ａ１１の構成を示すブロック図である。
【００４０】
図３において、無線通信部１２１は例えばＷＬＡＮデバイスで構成され、ＷＬＡＮルータなどを介しネットワークに接続し、携帯端末１０とデータの送受信を行う。
【００４１】
ＵＰｎＰ  Ｄｅｖｉｃｅ処理部１１０は、無線通信部１２１が受信した、携帯端末１０からのＭ−ＳＥＡＲＣＨに応答を返信するとともに、携帯端末１０からのＤＤＤ又はＳＤＤ要求などの所有者識別情報要求に対して機器情報管理部１１６が管理するＤＤＤやＳＤＤなどの所有者識別情報を、無線通信部１２１を介して携帯端末１０に送信する。
【００４２】
ＭＳＤ（Ｍｅｄｉａ  Ｓｅｒｖｅｒ  Ｄｅｖｉｃｅ）処理部１１１は、携帯端末１０からのＵＰｎＰ  ＡＶデバイス処理を実施する。具体的には、携帯端末１０からの無線通信部１２１を介してＡＶサービスのアクションメッセージを受信した場合、要求された処理やコンテンツ一覧情報管理部１１５が管理しているコンテンツ提供装置Ａ１１内のコンテンツ一覧情報を、無線通信部１２１を介して携帯端末１０に送信する。
【００４３】
Ｍｅｄｉａ  Ｔｒａｎｓｐｏｒｔ  Ｓｅｒｖｅｒ処理部１１２は、携帯端末１０から無線通信部１２１を介して受信したコンテンツ転送要求をもとに、制御部１１４を介してコンテンツ記憶部１１３に保存されている要求コンテンツ取得し、無線通信部１２１を介して携帯端末１０に送信する。
【００４４】
コンテンツ記憶部１１３は、コンテンツデータを記憶する。
【００４５】
制御部１１４は、コンテンツ記憶部１１３を制御し、コンテンツデータの保存や読み出しを行う。また、制御部１１４は、コンテンツ一覧情報管理部１１５にコンテンツ記憶部１１３に記憶されているコンテンツ一覧の情報を通知する。
【００４６】
コンテンツ一覧情報管理部１１５は、コンテンツ記憶部１１３に記憶されているコンテンツ一覧の情報を記憶して管理する。また、コンテンツ一覧情報管理部１１５は、制御部から通知される各コンテンツの情報（ファイル名、フォーマット、コンテンツの題名、作者、メディアリソースの場所など）をリスト形式で記憶し、ＭＳＤ処理部１１１の要求に応じてこれらのコンテンツ情報を提供する。
【００４７】
機器情報管理部１１６は、コンテンツ提供装置Ａ１１のデバイス詳細情報（機器ＩＤ、機器名、メーカー名）や提供するサービス情報を記載したＤＤＤ又は、サービスの詳細情報を記載したＳＤＤを記憶、管理する。また、所有者情報管理１１７が管理しているコンテンツ提供装置Ａ１１の所有者識別情報を取得し、ＤＤＤの情報要素の１つとして含める。
【００４８】
所有者情報管理部１１７は、コンテンツ提供装置Ａ１１の所有者情報（名前、電話番号やメールアドレスなどの識別情報、グループ属性情報、住所など）を管理する。
【００４９】
次に、本発明の実施の形態１の構成における接続動作について図４を用いて説明する。図４は、図１に示すネットワーク構成において、携帯端末１０がコンテンツ提供装置Ａ１１からコンテンツをダウンロードする際の接続シーケンスである。なお、図４では、携帯端末１０がＭ−ＳＥＡＲＣＨの送信することにより、コンテンツ提供装置Ａ１１を検出しているとする。
【００５０】
携帯端末１０がコンテンツ提供装置Ａ１１からユーザが選択したコンテンツをダウンロードする際の処理について説明する。まず、携帯端末１０は、検出したコンテンツ提供装置Ａ１１に対して、ＤＤＤ又はＳＤＤを要求し、コンテンツ提供装置１１Ａが保持するＤＤＤ又はＳＤＤを取得する。この際、コンテンツ提供装置Ａ１１では、機器情報管理部１１６が所有者情報管理部１１７から所有者識別情報を取得してＤＤＤ又はＳＤＤに付加し、ＵＰｎＰ  Ｄｅｖｉｃｅ処理部１１０を介して携帯端末１０にＤＤＤ又はＳＤＤを送信する（ステップＳ１０１、Ｓ１０２）。
【００５１】
携帯端末１０は、機器管理部１０５にて、コンテンツ提供装置Ａ１１から取得したＤＤＤ又はＳＤＤを解析し、コンテンツ提供装置Ａ１１の機器情報と、コンテンツ提供装置Ａ１１の所有者識別情報を抽出し、保持する（ステップＳ１０３）。
【００５２】
その後、携帯端末１０は、コンテンツ提供装置Ａ１１にコンテンツ一覧情報要求メッセージ（ＢＲＯＷＳＥ／ＳＥＡＲＣＨアクション）を送信し、コンテンツ提供装置Ａ１１内のコンテンツ一覧情報を取得し、コンテンツ管理処理部１０６にて保持する（ステップＳ１０４、Ｓ１０５）。
【００５３】
携帯端末１０のユーザが、コンテンツ一覧情報から取得したいコンテンツを選択した場合には、携帯端末１０は、コンテンツ提供装置Ａ１１に対してコンテンツの転送を要求し、コンテンツ提供装置Ａ１１からコンテンツデータをダウンロードする（ステップＳ１０６〜Ｓ１０８）。コンテンツデータを受信した携帯端末１０は、コンテンツ管理処理を実施し、コンテンツデータを携帯端末内部に保存する（ステップＳ１０９）。
【００５４】
次に、携帯端末１０におけるコンテンツ管理処理について図５を用いて説明する。携帯端末１０がコンテンツデータをコンテンツ提供装置Ａ１１から取得すると、制御部１０４からコンテンツデータの取得完了通知を受信したコンテンツ管理処理部１０６は、コンテンツ管理処理を開始する。まず、コンテンツ管理処理部１０６は、機器管理処理部１０５が保持するコンテンツ提供装置Ａ１１の機器情報と所有者識別情報を取得し、当該所有者識別情報をもとに電話帳１０７から所有者情報（ユーザ名やグループ名など）を取得する（ステップＳ１２０）。次に、コンテンツ管理処理部１０６は、電話帳１０７から取得した所有者情報と、機器管理部１０５から取得した機器情報、保持する取得コンテンツの情報などを関連付ける（ステップＳ１２１）。また、制御部１０４からコンテンツ記憶部１０３に存在するフォルダの一覧を取得する（ステップＳ１２２）。
【００５５】
次に、コンテンツ管理処理部１０６は、フォルダ一覧情報より、取得コンテンツと関連付けた所有者に対応するフォルダがコンテンツ記憶部１０３に存在するかどうかを確認する（ステップＳ１２３）。対応するフォルダが存在しなかった場合には、所有者情報の所有者名をフォルダ名とした、新規フォルダを作成してコンテンツ提供装置Ａ１１から取得したコンテンツデータを当該フォルダに保存することを、制御部１０４に要求する（ステップＳ１２４、Ｓ１２５）。対応するフォルダが存在する場合には、当該フォルダに取得コンテンツデータを保存するよう、制御部１０４に要求する（ステップＳ１２６）。
【００５６】
以上で説明したように、上述した本実施の形態１の構成によれば、携帯端末１０は、コンテンツ提供装置１１、１２からダウンロードしたコンテンツを、自端末の電話帳に登録されているコンテンツ提供装置の所有者情報と関連付けて管理する。このため、ユーザに取得コンテンツの提供者情報として、提供者名（コンテンツを提供したコンテンツ提供装置の所有者名）を提供することが可能である。したがって、ユーザは、コンテンツの取得元の識別が容易となる。さらに、提供者名毎にダウンロードコンテンツが自動で振り分けられて管理されるため、ユーザは取得したコンテンツに対して、フォルダ作成やコンテンツ移動などの整理をする手間が削減され、コンテンツ管理及び閲覧を容易にできる。
【００５７】
（実施の形態２）
次に、本発明の実施の形態２について図面を用いて説明する。
実施の形態２のネットワーク構成は実施の形態１で示した図１と同様である。実施の形態２は、実施の形態１の構成に対して、携帯端末１０がコンテンツ提供装置Ａ１１からコンテンツをダウンロードするのではなく、携帯端末１０がＵＰｎＰ  ＡＶデバイス機能を搭載し、コンテンツ提供装置Ｂ１２からコンテンツがアップロードされる点が異なり、その他の構成および処理動作は同様である。上記実施の形態１で説明した構成および処理動作と同様の構成および処理動作には同一の符号を付して、その説明を省略する。
【００５８】
図６は、実施の形態２における携帯端末１０の構成を示すブロック図である。図２の携帯端末１０と同一の符号を付与しているブロックについては、実施の形態１と同様の処理を行うため説明を省略し、異なる符号を付与した処理部のみを説明する。
【００５９】
ＵＰｎＰ  Ｄｅｖｉｃｅ処理部２００は、コンテンツ提供装置Ｂ１２からのＭ−ＳＥＡＲＣＨに応答するとともに、コンテンツ提供装置Ｂ１２からのＤＤＤ要求又はＳＤＤ要求に対して機器情報管理部２０３が管理するＤＤＤ又はＳＤＤを提供する。
【００６０】
ＭＳＤ（ＵＰ（ＵＰｌｏａｄ））処理部２０１は、コンテンツ提供装置Ｂ１２からのＵＰｎＰ  ＡＶデバイス処理を実施する。具体的には、コンテンツ提供装置Ｂ１２からのＡＶサービスのＣｒｅａｔｅＯｂｊｅｃｔアクションメッセージに従って、コンテンツ管理処理部２０４に、当該メッセージ内のコンテンツ情報を、コンテンツ一覧情報に追加することを要求する。コンテンツ管理処理部２０４からコンテンツ一覧情報の追加完了が通知された場合には、コンテンツ提供装置Ｂ１２に完了通知を送信する。
【００６１】
Ｍｅｄｉａ  Ｔｒａｎｓｐｏｒｔ  Ｓｅｒｖｅｒ（ＵＰ）処理部２０２は、コンテンツ提供装置Ｂ１２からのコンテンツデータを受信し、制御部１０４を指示し、コンテンツ記憶部１０３に当該コンテンツデータを転送する。
【００６２】
機器情報管理部２０３は、携帯端末１０のデバイス詳細情報（機器ＩＤ、機器名、メーカー名）や提供するサービス情報を記載したＤＤＤ及び、サービスの詳細情報を記載したＳＤＤを管理する。
【００６３】
コンテンツ管理処理部２０４は、携帯端末１０が保持するコンテンツの一覧情報を管理する。ＭＳＤ（ＵＰ）処理部２０１からコンテンツ情報追加要求があった場合には、コンテンツ一覧情報に、当該コンテンツ情報を追加し、ＭＳＤ（ＵＰ）処理部にその応答を返す。その際、当該コンテンツ情報からコンテンツ機器Ｂ１２の所有者識別情報を抽出し、電話帳１０７から当該所有者識別情報に該当する情報（通信相手名やグループ名など）を取得し、当該コンテンツ情報と関連付けを行う。制御部１０４からコンテンツデータの取得完了通知があった場合には、後述するコンテンツ管理処理を実施し、制御部１０４を指示して、取得コンテンツデータを保存するフォルダを指示する。
【００６４】
図７は、実施の形態２におけるコンテンツ提供装置Ｂ１２の構成を示すブロック図である。図３のコンテンツ提供装置Ｂ１２と同一の符号を付与しているブロックについては、実施の形態１のコンテンツ提供装置Ａ１１と同様の処理を行うため説明を省略し、異なる符号を付与した処理部のみを説明する。
【００６５】
ＵＰｎＰ  ＣＰ処理部２１０は、コンテンツ提供装置Ｂ１２がネットワークに接続した際に、デバイス検索処理を実施してネットワーク上のＵＰｎＰ  ＡＶデバイス機能を持つ携帯端末１０を検出し、当携帯端末１０からＤＤＤ又はＳＤＤを取得する。
【００６６】
ＭＳＣＰ（ＵＰ）処理部２１１は、検出した携帯端末１０に対してＵＰｎＰ  ＡＶコントロールポイント処理を実施する。具体的には、携帯端末１０に対して、ＡＶサービスのＣｒｅａｔｅ  Ｏｂｊｅｃｔアクションメッセージを送信して、携帯端末１０のコンテンツ一覧情報に、コンテンツ提供装置Ｂ１２が保持するコンテンツ情報の追加を要求する。携帯端末１０からコンテンツ情報追加応答があった場合には、コンテンツ情報提供管理部２１４に通知する。
【００６７】
Ｍｅｄｉａ  Ｔｒａｎｓｐｏｒｔ  Ｃｌｉｅｎｔ（ＵＰ）処理部２１２は、制御部１１４にて指定されたコンテンツデータをコンテンツ記憶部１１３から取得し、携帯端末１０へ転送する。
【００６８】
機器管理部２１３は、ＵＰｎＰ  ＣＰ処理部２１０にて取得した携帯端末のＤＤＤ又はＳＤＤを解析し、携帯端末１０の機器情報として管理する。
【００６９】
コンテンツ情報提供管理部２１４は、コンテンツ提供装置Ｂ１２が保持するコンテンツ一覧情報を管理する。ユーザが携帯端末１０にアップロードするコンテンツを選択した場合には、所有者情報管理部１１７から所有者識別情報を取得し、当該コンテンツ情報に付加して、ＭＳＣＰ（ＵＰ）処理部２１１にコンテンツ情報追加要求を携帯端末１０に送信することを要求する。ＭＳＣＰ（ＵＰ）処理部２１１からコンテンツ情報追加応答の通知が合った場合には、制御部１１４に携帯端末１０へ当該コンテンツを転送するよう指示する。
【００７０】
次に、上述した実施形態の構成におけるコンテンツ取得の動作について、図８を用いて説明する。具体的には、コンテンツ提供装置Ｂ１２が携帯端末１０にコンテンツをアップロードする際の処理について説明する。
【００７１】
図８は、図１に示すネットワーク構成において、コンテンツ提供装置Ｂ１２から携帯端末１０にコンテンツがアップロードされる際の接続シーケンスである。なお、図８では、コンテンツ提供装置Ｂ１２がＭ−ＳＥＡＲＣＨの送信により携帯端末１０を検出しているとする。
【００７２】
まず、コンテンツ提供装置Ｂ１２は、検出した携帯端末１０に対して、ＤＤＤ又はＳＤＤを要求し、携帯端末１０が保持するＤＤＤ又はＳＤＤを取得する（ステップＳ２０１、Ｓ２０２）。
【００７３】
コンテンツ提供装置Ｂ１２は、ユーザが携帯端末１０に提供したいコンテンツを選択した場合、コンテンツ情報提供管理部２１４にて、所有者情報管理部１１７から所有者識別情報を取得し、当該コンテンツ情報に追加する。その後、携帯端末１０が保持するコンテンツ一覧情報に当該コンテンツ情報を追加するため、コンテンツ情報追加要求メッセージ（ＣｒｅａｔｅＯｂｊｅｃｔアクション）を送信する（ステップＳ２０３）。
【００７４】
コンテンツ情報追加要求メッセージを受信した携帯端末１０では、コンテンツ管理処理部２０４にて、コンテンツ情報及び、所有者識別情報を抽出し、電話帳１１７から所有者識別情報に対応する情報（通信相手名やグループ名など）を取得して当該コンテンツ情報と関連付ける。また、コンテンツ管理処理部２０４は、当該コンテンツ情報を、保持するコンテンツ一覧情報に登録する（ステップＳ２０４）。
【００７５】
コンテンツ情報の追加がコンテンツ管理部処理部２０４にて成功した場合には、その応答をＭＳＤ（ＵＰ）処理部２０１を介して、コンテンツ提供装置Ｂ１２に返す（ステップＳ２０５）。
【００７６】
コンテンツ提供装置Ｂ１２は、携帯端末１０からコンテンツ情報追加応答メッセージを受信した場合に、コンテンツデータを携帯端末１０にアップロードする（ステップＳ２０６）。
【００７７】
コンテンツデータを受信した携帯端末１０は、コンテンツ管理処理を実施し、コンテンツデータを携帯端末内部に保存する（ステップＳ２０７）。
【００７８】
次に、携帯端末１０におけるコンテンツ管理処理について、図９を用いて説明する。
制御部１０４からコンテンツデータ取得完了通知を受信したコンテンツ管理処理部２０４は、制御部１０４からコンテンツ記憶部１０３に存在するフォルダの一覧を取得する（ステップＳ２２１）。
【００７９】
コンテンツ管理処理部１０６は、フォルダ一覧情報より、取得コンテンツと関連付けた所有者に対応するフォルダがコンテンツ記憶部１０３に存在するかどうかを検索する（ステップＳ２２２）。対応するフォルダが存在しなかった場合には、所有者情報の所有者名をフォルダ名とした、新規フォルダを作成して、コンテンツ提供装置Ｂ１２から取得したコンテンツデータを当該フォルダに保存することを、制御部１０４に要求する（ステップＳ２２３、Ｓ２２５）。対応するフォルダが存在する場合には、当該フォルダに取得コンテンツデータを保存するよう、制御部１０４に要求する（ステップＳ２２５）。
【００８０】
以上で説明したように、上述した実施形態の構成によれば、携帯端末は、コンテンツ提供装置からアップロードされたコンテンツを、自端末の電話帳に登録されているコンテンツ提供装置の所有者情報と関連付けて管理する。このため、実施の形態１と同様にユーザに取得コンテンツの提供者情報として、提供者名を提供することが可能であり、ユーザは、コンテンツの取得元の識別が容易となる。さらに、所有者名毎にアップロードコンテンツが自動で振り分けられて管理されるため、ユーザは取得したコンテンツを整理（フォルダ作成やコンテンツ移動など）する手間が削減され、コンテンツ管理及び閲覧を容易にできる。
【００８１】
なお、上述した実施の形態１、２では、自動生成したフォルダ名を携帯端末が自動設定しているが、フォルダの名称は、ユーザ自身が変更してもよい。その際、コンテンツ提供装置から取得したコンテンツは、コンテンツ提供装置の所有者情報に基づいて自動で振り分けるようにしてもよい。
【００８２】
また、フォルダの名称としてコンテンツ提供装置の所有者名としているが、電話帳に登録されているグループ名や、その他のユーザ情報でもよい。その際、コンテンツ提供装置から取得したコンテンツは、フォルダ名に使用した情報によって、各フォルダに振り分けるようにしてもよい。
【００８３】
（実施の形態３）
次に、本発明の実施形態３について図面を用いて説明する。
本実施の形態３のネットワーク構成を図１０に示す。図１０に示すように、本実施の形態３においては、実施の形態１、２で説明したホームネットワーク１に加えて、ホームネットワーク１は、さらにインターネット２経由で他のユーザの携帯端末Ａ２４、他のユーザのデスクトップＰＣ２５などに接続されていてもよい。
【００８４】
また、本実施の形態３においては、実施の形態１、２の動作に加えて、ユーザがあるコンテンツ提供装置から取得したコンテンツの閲覧状態や評価、感想などを、当該コンテンツ提供装置の所有者や他のユーザに通知する点が異なる。
【００８５】
本実施の形態３のその他の構成および処理動作は、実施の形態１、２と同様である。実施の形態１、２で説明した構成および処理動作と同様の構成および処理動作には同一の符号を付して、その説明を省略する。
【００８６】
なお、本実施の形態３では、コンテンツ提供装置Ａ１１から取得したコンテンツを、携帯端末１０のユーザが閲覧した際に、コンテンツ提供装置Ａ１１や他のユーザに、コンテンツ閲覧状態や評価、感想などを通知するものについて説明する。
【００８７】
図１１は、本実施形態における携帯端末１０のブロック図である。図２と同一の符号を付与しているブロックについては、実施形態１と同様の処理を行うため説明を省略し、異なる符号を付与した処理部のみを説明する。
【００８８】
制御部３００は、コンテンツ管理処理部３０１の指示のもと、コンテンツ記憶部１０３を制御して、取得コンテンツデータの保存を実施する。また、ユーザがコンテンツ記憶部１０３に記憶されているコンテンツを閲覧した場合には、コンテンツ管理処理部３０１に、コンテンツが閲覧されたことを通知する。
【００８９】
コンテンツ管理処理部３０１は、ＭＳＣＰ処理部１０１が取得したコンテンツ一覧情報を管理する。ユーザが選択したコンテンツデータをダウンロードし、制御部３００からコンテンツ取得完了通知を受信した場合には、コンテンツ提供装置Ａ１１の機器情報及び、コンテンツ提供装置Ａ１１の所有者識別情報を取得する。そして、電話帳１０７が管理している識別情報及び、通信相手名を参照して、管理している当該コンテンツの情報と関連付けを行い、管理する。その後、制御部３００に対して取得コンテンツデータを保存するフォルダを指示する。制御部３００からコンテンツ閲覧通知を受信した場合には、当該コンテンツの閲覧状態を閲覧済みとし、当該コンテンツのユーザの評価や感想等も当該コンテンツ情報と紐付けて管理する。また、通知処理部３０２に対して、ユーザの評価や感想等を含んだコンテンツ情報を送信し、コンテンツ提供装置Ａ１１や他ユーザへのコンテンツ閲覧報知を要求する。
【００９０】
通知処理部３０２は、コンテンツ管理処理部３０１からのコンテンツ閲覧報知要求を受信した場合には、コンテンツ情報からコンテンツ提供装置Ａ１１の所有者情報を抽出する。その後、電話帳１０７から当該所有者識別情報（電話番号やメールアドレス）を取得するとともに、コンテンツ提供装置Ａ１１の所有者が属するグループを特定し、当該グループ内のメンバの識別情報（電話番号やメールアドレス）を取得する。取得した識別情報をもとに、コンテンツ提供装置Ａ１１やグループ内の各メンバに、ユーザのコンテンツに対する評価や感想などを含んだコンテンツ閲覧メッセージを電子メールやＳＭＳ（Ｓｈｏｒｔ  Ｍｅｓｓａｇｅ  Ｓｅｒｖｉｃｅ）を用いて報知する。
【００９１】
コンテンツ提供装置Ａ１１の構成は、図３に示した構成と同様である。
【００９２】
次に、上述した実施の形態３の構成における動作について、図１２を用いて説明する。図１２は、図１０に示すネットワーク構成において、携帯端末１０がコンテンツ提供装置Ａ１１及び、他のユーザの携帯端末Ａ２４、他のユーザのデスクトップＰＣ２５にコンテンツ閲覧状態を報知するシーケンスである。なお、携帯端末１０の電話帳１０７には、他のユーザの携帯端末Ａ２４や他のユーザのデスクトップＰＣ２５のユーザは、コンテンツ提供装置Ａ１１の所有者が属しているグループとして登録されているものとする。
【００９３】
図１２のステップＳ１０１〜ステップＳ１０８までは、図４と同様であるため、その説明を省略する。
【００９４】
コンテンツデータをダウンロードした携帯端末１０は、コンテンツ管理処理部３０１にて、コンテンツ関連付け処理を実施し、コンテンツデータを携帯端末１０のコンテンツ記憶部１０３に保存する（ステップＳ３００）。コンテンツ関連付け処理は、コンテンツ管理処理部３０１が、機器管理部１０５から当該コンテンツデータを取得したコンテンツ提供装置Ａ１１の機器情報及び、所有者識別情報を取得し、電話帳１０７が管理している識別情報及び、通信相手名を参照して当該コンテンツの情報と関連付ける処理である。コンテンツの関連付け処理が終了後、コンテンツデータはコンテンツ記憶部１０３に保存される。
【００９５】
ユーザがコンテンツ記憶部１０３に保存されたコンテンツを閲覧した場合には、制御部３００からコンテンツ閲覧通知がコンテンツ管理処理部３０１に通知される。コンテンツ管理処理部３０１では、当該コンテンツの閲覧状態を閲覧済みに変更し、ユーザの評価や感想などを当該コンテンツ情報に付加し、通知処理部３０２にコンテンツ閲覧報知を要求する（ステップＳ３０１）。
【００９６】
通信処理部３０２は、電話帳１０７からコンテンツ機器Ａ１１の所有者識別情報を取得するとともに、所属グループを特定して当該グループに属する携帯端末Ａ１４及び、デスクトップＰＣ１５の識別情報を取得する。また、取得したコンテンツ機器Ａ１１の所有者識別情報をもとに、コンテンツ提供装置Ａ１１へコンテンツ閲覧通知メッセージを送信する（ステップＳ３０２）。また、所属グループに属する携帯端末Ａ１４、デスクトップＰＣ１５にも同様にコンテンツ閲覧報知メッセージを報知する。コンテンツ閲覧通知メッセージやコンテンツ閲覧報知メッセージには、携帯端末１０を所有するユーザのコンテンツに対する評価や感想などを含む（ステップＳ３０３）。
【００９７】
以上で説明したように、上述した実施形態の構成によれば、実施の形態１、２と同様に、携帯端末は、コンテンツ提供装置から取得したコンテンツを、自端末の電話帳に登録されているコンテンツ提供装置の所有者情報と関連付けて管理するため、ユーザは、コンテンツの取得元の識別が容易となるとともに、コンテンツ管理及び閲覧を容易にできる
【００９８】
また、取得コンテンツが閲覧された場合に、提供者にそのコンテンツの評価や感想等が電子メール、またはＳＭＳで通知されるため、提供者は容易にそのコンテンツの閲覧状況を確認することができ、ユーザの利便性を向上することができる。さらに、提供者以外に、電話帳に登録されているグループの各メンバに閲覧したコンテンツの評価や感想を報知することが可能であり、ユーザは当該コンテンツをグループの各メンバに推薦することができる。
【００９９】
なお、上述した実施の形態１〜３によれば、取得コンテンツは電話帳の情報と関連付けられているため、ユーザは電話帳から取得コンテンツ一覧情報を参照することも可能である。また、携帯端末装置内の全コンテンツから、ユーザが提供者名を入力して検索することで、当該提供者から取得したコンテンツを絞り込んで表示することも可能である。
また、上述した実施の形態１〜３では、コンテンツ提供装置が所有者識別情報をＤＤＤ又はＳＤＤの情報要素やコンテンツ一覧情報の情報要素として提供しているが、これに限定されない。例えば、コンテンツ提供装置のＤＤＤ又はＳＤＤを取得した後、携帯端末がコンテンツ提供装置に所有者識別情報を要求して、その応答として所有者識別情報を取得してもよい。
【０１００】
また、上述した実施の形態１〜３では、無線ＬＡＮのインフラストラクチャモードではなく、アドホックモードでもよい。
【０１０１】
また、上述した実施の形態１〜３では、無線アクセス方式としてＷＬＡＮを例に述べているが、これに限定されず、Ｂｌｕｅｔｏｏｔｈでもよい。また、ＷＬＡＮの通信モードとしてインフラストラクチャモードとしているが、アドホックモードでもよい。
【０１０２】
また、上述した実施の形態１〜３では、自動生成したフォルダの名称は、ユーザが変更してもよい。
【０１０３】
また、上述した実施の形態１〜３では、自動生成するフォルダの名称は、所有者名ではなく、電話帳で設定されているグループ名でもよい。その際、フォルダには、当該グループに所属している提供者から取得したコンテンツが保存される。
【産業上の利用可能性】
【０１０４】
本発明によれば、取得したコンテンツから当該コンテンツの提供者を、ユーザが容易に識別できるとともに、コンテンツ管理及び閲覧を容易にできるので、コンテンツ提供装置及び携帯端末装置並びにコンテンツ提供方法及びコンテンツ管理方法として有望である。
【図面の簡単な説明】
【０１０５】
【図１】ホームネットワークの一例を示す図
【図２】実施の形態１における携帯端末１０のブロック図
【図３】実施の形態１におけるコンテンツ提供装置Ａ１１のブロック図
【図４】実施の形態１における携帯端末１０によるコンテンツダウンロード時のシーケンス図
【図５】実施の形態１における携帯端末１０のコンテンツ保存処理フローチャート
【図６】実施の形態２における携帯端末１０のブロック図
【図７】実施の形態２におけるコンテンツ提供装置１１Ｂのブロック図
【図８】実施の形態２における携帯端末１０のコンテンツアップロード時のシーケンス図
【図９】実施の形態２における携帯端末１０のコンテンツ管理処理フローチャート
【図１０】実施の形態３におけるネットワーク構成の一例を示す図
【図１１】実施の形態３における携帯端末１０のブロック図
【図１２】実施の形態３における携帯端末１０のコンテンツ閲覧通知・報知を示すシーケンス図
【図１３】従来のＵＰｎＰ  ＡＶコントロールポイントによるコンテンツ取得を示すシーケンス図
【符号の説明】
【０１０６】
１  ホームネットワーク
１０  携帯端末
１００  ＵＰｎＰ  ＣＰ処理部
１０１  ＭＳＣＰ処理部
１０２  Ｍｅｄｉａ  Ｔｒａｎｓｐｏｒｔ  Ｃｌｉｅｎｔ処理部
１０３  コンテンツ記憶部
１０４、３００  制御部
１０５  器機管理部
１０６  コンテンツ管理処理部
１０７  電話帳（ユーザ識別情報記憶部）
１０８  表示部
１０９  操作部
１２０  無線通信部
２００  ＵＰｎＰ  Ｄｅｖｉｃｅ処理部
２０１  ＭＳＤ（ＵＰ）処理
２０２  Ｍｅｄｉａ  Ｔｒａｎｓｐｏｒｔ  Ｓｅｒｖｅｒ（ＵＰ）処理部
２０３  器機情報管理部
２０４  コンテンツ管理処理部
３０１  コンテンツ管理処理部
３０２  通知処理部
１１、１２、１３  コンテンツ提供装置
１１０  ＵＰｎＰ  Ｄｅｖｉｃｅ処理部
１１１  ＭＳＤ処理部
１１２  Ｍｅｄｉａ  Ｔｒａｎｓｐｏｒｔ  Ｓｅｒｖｅｒ処理部
１１３  コンテンツ記憶部
１１４  制御部
１１５  コンテンツ一覧情報管理部
１１６  器機情報管理部
１１７  所有者情報管理部
１２１  無線通信部
２１０  ＵＰｎＰ  ＣＰ処理部
２１１  ＭＳＣＰ（ＵＰ）処理
２１２  Ｍｅｄｉａ  Ｔｒａｎｓｐｏｒｔ  Ｓｅｒｖｅｒ（ＵＰ）処理部
２１３  器機情報管理部
２１４  コンテンツ情報提供管理部
１４  ＷＬＡＮルータ
２  インターネット
２４  携帯端末（他のユーザの携帯端末）
２５  デスクトップＰＣ（他のユーザのデスクトップＰＣ）
【図１】
2010026983.tif 000003
【図２】
2010026983.tif 000004
【図３】
2010026983.tif 000005
【図４】
2010026983.tif 000006
【図５】
2010026983.tif 000007
【図６】
2010026983.tif 000008
【図７】
2010026983.tif 000009
【図８】
2010026983.tif 000010
【図９】
2010026983.tif 000011
【図１０】
2010026983.tif 000012
【図１１】
2010026983.tif 000013
【図１２】
2010026983.tif 000014
【図１３】
2010026983.tif 000015